(57)【要約】【課題】ブラインドを昇降して所定の高さ位置で使用することで，ブラインドの上方に開放空間を確保する方法において，簡単な構成，低コストで十分な採光や通風が得られるとともに，プライバシーの確保が可能な新規なブラインド昇降装置。【解決手段】ブラインドを装着し，かつ，ブラインドを昇降して所定の高さ位置で使用するためのストッパーを制御するコントロールユニットと，コントロールユニットのストッパーを停止保持するストッパーボックスで構成され，ブラインドを使用する高さ位置を決定する複数のストッパー止めを，所定の間隔で段階的に配列する構造を有するブラインド昇降装置。【選択図】図１
0003127760.tif 000002
【実用新案登録請求の範囲】
【請求項１】
ブラインドを装着し，かつブラインドを昇降して所定の高さ位置で使用するためのストッパーを制御するコントロールユニットと，所定の高さ位置でコントロールユニットのストッパーを受け止めてブラインドを停止保持するために，窓枠に取り付けられたストッパーボックス内に所定間隔で複数配列されるストッパー止めにより，ブラインドの高さ位置を所定の間隔で段階的に設定することが出来るブラインド昇降装置。
【考案の詳細な説明】
【技術分野】
【０００１】本考案は，窓枠に取り付けて使用するブラインドに関して，ブラインドを昇降して，所定の高さ位置でブラインドを使用できるようにする，簡単で低コストなブラインド昇降装置に関する。
【背景技術】
【０００２】従来，オフィスや家庭において，窓枠内に開閉自在なブラインドを取り付けて，採光や通風を調節するとともに，外部から覗かれることを防いでプライバシーを確保している。このようなブラインドは，通常は窓の上部横枠にブラインドのヘッド部を固定装着し，該ヘッドから垂直方向に並置する多数の日よけ板を，必要に応じて操作して開閉することで採光や通風を制御する方法が実用化されているが，この方法では，日よけ板が障害となって十分な開放空間を得ることには難がある。十分な開放空間を確保する場合は，ブラインドのボトム部を上方に引き上げて，ブラインドの下方に開放空間を確保する方法がとられるが，この方法では下から覗き込まれるなど，プライバシーの確保には難が有る。【０００３】上記する問題を解決する手段として，ブラインドに取り付けられている昇降ワイヤーなどを操作することで，ブラインドのヘッド部を昇降してブラインドの上方に開放空間を確保する方法が種々提案されているが，いずれも複雑な構成となり高コストとなる欠点を有している。
【考案が解決しようとする課題】
【０００４】ブラインドを昇降して所定の高さ位置で使用することで，ブラインドの上方に開放空間を確保する方法において，ブラインドの高さ位置を所定の間隔で段階的に設定することで，簡単な構成，低コストで十分な採光や通風のための開放空間が得られるとともに，プライバシーの確保が可能となる新規なブラインド昇降装置を提案する。
【課題を解決するための手段】
【０００５】上記する種々の課題を解決するため，本考案に係るブラインド昇降装置は，ブラインドを装着し，かつ，ブラインドを所定の間隔で段階的に昇降して所定の高さ位置で使用するためのストッパーを制御するコントロールユニットと，所定の位置でコントロールユニットのストッパーを停止保持させるために，窓枠に取り付けられたストッパーボックスで構成される。
【０００６】ブラインド上方に構成される開放空間の広さはそれほど微妙に設定する必要はないとともに，頻繁に設定変更されることも無いため，ブラインドを使用する高さ位置を所定の間隔で段階的に設定する簡単で低コストな構造を用いることが可能である。
【考案の効果】
【０００７】本考案は，ブラインドを使用する高さ位置を所定の間隔で段階的に設定する極めて簡単な構造を採用することで，構成が簡単で，低コストでブラインドの上方に開放空間を得ることが出来るため，十分な採光，通風が得られるとともに，プライバシーが確保される。さらに，窓枠に取り付けられるストッパーボックスの側板の前面折り返しによりストッパーの横振れが規制され，コントロールユニットの横揺れが防がれるため，ブラインドを窓の上部横板に取り付けた場合と同じ安定した状況が得られる。
【考案を実施するための最良の形態】
【０００８】本考案に係るブラインド昇降装置は，図１に概略を示すとおり，ブラインド４をコントロールユニット１のブラインド取り付けプレート３に装着し，ブラインドを昇降して所定の高さ位置で使用するために，コントロールユニットで制御されるストッパー９を，窓の左右側枠８に取り付けられたストッパーボックス２内に複数配列されるストッパー止め１２のうち，希望する高さのストッパー止めでストッパーを停止保持して，ブラインドの高さ位置を設定する。【０００９】ブラインドを使用する高さ位置まで昇降するには，コントロールユニット１のブラインド取り付けプレート３の手掛け部２２を手で支えた状態で，コントロールユニットに実装されているコントロールボタン２１をスライドすることによって，ストッパー９がストッパー止め１２から外され，ブラインドが昇降可能となる。希望する高さのストッパー止めまでコントロールユニットを手で昇降させて，コントロールボタンのスライドを解除すれば，ストッパーがストッパー止めで停止保持されるため，ブラインドは希望する高さに設定される。７は窓の上部横枠を示し，５はブラインドのヘッド部を，６はブラインドのボトム部を示す。【００１０】図２はコントロールユニットの概観図である。コントロールボタン２１を右にスライドするとストッパー９の突出が減り，コントロールボタンから手を離すとストッパーの突出が増えて，ストッパーがストッパー止め１２から外れたり，引っかかったりすることで，コントロールユニットの昇降を解除したり，規制したりする。３はブラインド４を取り付けるためのブラインド取り付けプレートであり，２２はコントロールユニットとともにブラインドを昇降するときの手掛け用の突起部である。【００１１】図３はストッパーボックスの概略図である。所定の間隔で配列される複数のストッパー止め１２，ストッパーボックス底板１３，ストッパーボックス側板１４などで構成される。さらにストッパーボックスの前面折り返し部１５は，ストッパー９がストッパーボックスから外れないようにするための構造であるとともに，ストッパーの横揺れを規制してコントロールユニットならびにブラインドの横揺れを防ぐ効果があり，ブラインドを窓の上部横板７に取り付けた場合と同じ安定した状態が得られる。【００１２】図４はブラインドの昇降を制御するコントロールユニットの構成説明図である。ブラインド４の昇降を可能にしたり，停止保持させたりするストッパー９は，ストッパー止め１２までの距離が窓枠の構造などにより異なるため，サブストッパー１０と組み合わせてストッパー止めが確実に受け止められる距離となる調節を行える構造とする。ストッパーの幅ａはストッパーボックス２の左右の前面折り返し間距離ｃより狭く，ストッパーの先端部の幅ｂは前面折り返し間距離ｃより広く，ストッパーの先端部はストッパーボックスの前面折り返しの内側（ボックス内）に配置される構造とするため，ストッパーがストッパーボックスから外れることは無い。１１はサブストッパーならびにストッパーの移動をスムーズにするとともに，移動方向をガイドするストッパーベースである。【００１３】ストッパー９とサブストッパー１０は，通常はバネ１６でストッパー止め１２の方向に押し出されているとともに，コントロールワイヤー１８によってコントロールボタン２１に接続されている。このため，コントロールボタンを右方向にスライドさせるとコントロールワイヤーがストッパーを引き戻すため，ストッパーがストッパー止めから外されて，昇降が可能になる。【００１４】ストッパー９がストッパー止め１２の位置にある状態で，コントロールボタン２１から手を離すと，バネによりコントロールボタンは左にスライドしてコントロールワイヤーを緩めるため，ストッパーはバネに押されてストッパー止め方向に戻され，ストッパー止めに受け止められてブラインドの昇降は停止保持される。２０はコントロールワイヤーの緩みを防止するワイヤー張りコロであり，１７は各種ブラケットである。【００１５】上記する如くの構造，操作方法で解るとおり，本提案のブラインド昇降装置は極めて簡単な構造で，低コストで，市販されている汎用のブラインドを使用して上方に開放空間を確保することが出来る。
【実施例】
【００１６】次に本考案を実施例に基づいて説明するが，本考案は実施例に限定されるものでは無い。本考案に係るブラインド昇降装置は，図１に示す構成を取るが，一般的にブラインドに求められる上方の開放空間はせいぜい１ｍ程度で十分と思われるため，図３に示すストッパーボックスの長さｄ＝１ｍとし，ストッパー止めの配列間隔ｅ＝２０ｃｍ，ストッパー止めの数を５個とした。図３ではストッパー止め１２を角穴で構成しているが，角穴タイプではストッパー止め穴の裏面はストッパーが確実に穴に受け止められるために，ｆ＝１５ｍｍ程度の空間を設けている。図４のコントロールユニットはコントロールワイヤー１８の緩み防止用のワイヤー張りコロ２０を設けているが，これは左右のストッパー９の動作の時間差で発生するワイヤーの緩みを防止する効果が大きいが，コントロールワイヤーの緩みに対して逃げ余裕が有る場合には無くても実用上は問題無い。コントロールボタン２１はスライド式でなく，プッシュ式でも構成可能である。手掛け部２２は，ブラインドのヘッド部などを手で持つことも可能なため，無くても問題は無い。【００１７】また，本例のストッパー止め１２は角穴としているが，図５に示される平板状でも良いなど色々な形状が使用可能であり，それぞれに特徴を有している。角穴タイプはストッパーを角穴から外す時だけコントロールボタン２１のスライドが保持されれば良く，平板タイプは，昇降時にストッパーが平板を通過する間だけコントロールボタンのスライドが保持されていれば良い。また，ストッパーボックス２を窓の左右側枠に取り付ける例を示したが，窓の上部横枠に取り付けても良い。上記するように，本考案の趣旨を逸脱しない範囲であれば，種々変形実施可能である。
【図面の簡単な説明】
【００１８】
【図１】本考案のブラインド昇降装置を窓枠に取り付けた概略斜視図である。
【図２】コントロールユニットの概略斜視図である。
【図３】ストッパーボックスの概略斜視図である。
【図４】コントロールユニットの構成説明図である。
【図５】平板ストッパー止めの概略斜視図である。
【符号の説明】
１  コントロールユニット
２  ストッパーボックス
３  ブラインド取り付けプレート
４  ブラインド
５  ブラインドヘッド部
６  ブラインドボトム部
７  窓の上部横枠
８  窓の側枠
９  ストッパー
１０  サブストッパー
１１  ストッパーベース
１２  ストッパー止め
１３  ストッパーボックス底板
１４  ストッパーボックス側板
１５  ストッパーボックスの前面折り返し部
１６  バネ
１７  ブラケット
１８  コントロールワイヤー
１９  ワイヤーコロ
２０  ワイヤー張りコロ
２１  コントロールボタン
２２  手掛け部
ａ  ストッパーの幅
ｂ  ストッパー先端部の幅
ｃ  ストッパーボックスの左右前面の折り返し間距離
ｄ  ストッパーボックスの長さ
ｅ  ストッパー止めの配列間隔
ｆ  ストッパー止め穴の裏面空間距離
【図１】
0003127760.tif 000003
【図２】
0003127760.tif 000004
【図３】
0003127760.tif 000005
【図４】
0003127760.tif 000006
【図５】
0003127760.tif 000007